(57)【要約】【課題】別個のプラグを必要としない、硝子体液がカニューレに入ることを防ぐのに役立つセルフシールのカニューレを提供すること。【解決手段】カニューレは、チューブと拡大されたリブまたはハブを有する。ハブは、チューブの近位端部に取り付けられていて、チューブの遠位端部は、ハブまで、切開部の中に挿入されることができる。ハブは、カニューレ全体が切開部に入ることから防ぐための止めとしての役割を果たす。チューブの遠位端部は、チューブの遠位端部をシールする付勢されたフラップを有するが、依然として、手術機器がチューブを介して眼の中に挿入されることを可能にする。【選択図】図２
2008168136.tif 000002
【特許請求の範囲】
【請求項１】
ａ）遠位端部と近位端部とを有するチューブであって、前記遠位端部が、第一側壁と第二側壁を形成するように長手方向に部分的に分割されているチューブと、
ｂ）前記チューブの残りの部分に前記第一側壁を接続するヒンジであって、前記第一側壁が、弛緩状態で前記第二側壁に対して付勢されているヒンジと、
ｃ）前記チューブの前記近位端部で前記チューブに接続されるハブと、
を有するカニューレ。
【請求項２】
前記第一側壁が前記第二側壁に入るように、テーパーになっている、請求項１に記載のカニューレ。
【発明の詳細な説明】
【技術分野】
【０００１】
本発明は眼科用手術機器に関し、より詳細には後眼部の眼科用手術機器に関する。
【背景技術】
【０００２】
超微細手術用具は、人体の繊細な部分および特定の部分の細胞を処置する、または細胞を取り除く外科医により使用され、特に眼の外科手術、より詳細には、硝子体、血液または水晶体を触診する、または取り除く処置に使用される。そのような機器は、携帯用でもよいが、制御コンソールと外科医が細胞を解剖し、処置し、および／または取り除く手術用ハンドピースをしばしば含む。ハンドピースは、ガラス製のカッタープローブまたは細胞を切断しまたは寸断する超音波寸断器のような手術器具を有していて、空気圧（空圧式）の長い管路または電源ケーブルによって、および手術部位へ注入液を供給して手術部位から液体および切断されたまたは寸断された細胞を回収しまたは吸引する長い管路、ケーブル、光ケーブルまたは柔軟なケーブルによって、制御コンソールに接続される。ハンドピースの切断、注入および吸引機能は、手術用ハンドピース用の電力を供給する（例えば、切断ブレードまたは超音波で振動されるニードルを往復し、または回転させる）だけでなく、吸引流体の流れを制御して、液体および切断されたまたは寸断された細胞を吸引する減圧（大気に対して）源を備えている、リモート制御コンソールによって制御される。コンソールの機能は、外科医によって手動で制御され、通常、フットスイッチまたは比例制御によって制御される。
【０００３】
後眼部の手術中、外科医は、通常、処置の間いくつかの機器を使用する。このことは、これらの機器が、切開部に挿入されて、切開部から取り除かれることを要求する。この繰り返される除去と挿入が、切開部位で眼に外傷性傷害を引き起こす可能性がある。この懸念に対処するために、カニューレは、少なくとも１９８０年代半ばまでに改良されてきた。これらの装置は、付属したハブを有する幅の狭いチューブを有する。切開部が作られて、眼に完全に入ることを防ぐ止め（stop）としての役目を果たすハブまで、チューブが切開部の中に入れられる。手術機器は、チューブを介して眼に挿入されることができ、チューブは、機器によって繰り返し接触されることから切開部を防ぐ。加えて、機器がチューブを介して眼に挿入されるときに機器を操作することによって、外科医は、手術中の眼の位置決めに役立つように機器を使用することができる。従来技術のカニューレは、開口部を有するチューブである。眼の内側に圧力が加えられる場合に、チューブが注入装置に接続されていないとき、または機器がチューブ中に挿入されていないときには、硝子体液がチューブの外に流れる可能性がある。従来技術の一式のカニューレは、硝子体液の損失を防ぐためにハブに取り付けられることが可能な取り外し可能なプラグを含む。別の従来技術の装置は、ハブの外側にシリコンスリットの隔壁またはキャップを含む。スリットは、チューブに入る開口部を備えていて、手術機器は開口部を介して挿入可能である。この隔壁は、カニューレからの液体の損失を防ぐのに役立つが、硝子体のストランドは、手術機器によってチューブの中に引き戻されることが可能である。カニューレが切開部から取り除かれるときに、これらのストランドは、切開部の中に引き込まれる。
【０００４】
従って、別個のプラグを必要としない、硝子体液がカニューレに入ることを防ぐのに役立つセルフシールのカニューレの必要性が存在し続けている。
【発明の開示】
【０００５】
本発明は、チューブと拡大されたリブまたはハブを有するカニューレを備えることにより、従来技術を改良する。ハブは、チューブの近位端部に取り付けられているので、チューブの遠位端部は、ハブまで、切開部に挿入されることもできる。ハブは、切開部にカニューレの全体が入ることを防ぐための止めとしての役割を果たす。チューブの遠位端部は、チューブの遠位端部をシールする付勢されたフラップを含むが、依然として、チューブを介して眼に手術機器が挿入されることを可能にする。
【０００６】
従って、本発明の目的は、眼科用カニューレを提供することである。
【０００７】
本発明の別の目的は、セルフシールの眼科用カニューレを提供することである。
【０００８】
本発明の更なる目的は、カニューレの遠位端部をシールする付勢されたフラップを有する眼科用カニューレを提供することである。
【０００９】
本発明の他の目的、特徴および利点は、図面と以下の図面説明と請求項の記載を参照することにより、明らかになる。
【００１０】
本発明は、上記課題を解決するための手段として、特許請求の範囲の各請求項に記載されたカニューレを提供する。
【発明を実施するための最良の形態】
【００１１】
図１から一番よくわかるように、従来技術のカニューレ１００は、チューブ１１０とハブ１２０を有する。チューブ１１０は、強膜１３０を介して延びるのに十分な長さであり、後眼房１４０に入る。ハブ１２０は、平らな遠位面１５０と近位面１６０をともなう略円筒形である。
【００１２】
図２と３で示されるように、本発明のカニューレ１０は、チューブ１１と拡大されたハブ１２を有する。チューブ１１は、強膜１３０を介して延びるのに十分な長さであり、後眼房１４０に入る。チューブ１１とハブ１２は、金属または熱可塑性物質のような、任意の適当な材料から作られてもよい。チューブ１１の内径は、２０、２３または２５ゲージまたは他の任意の適当なサイズでもよい。チューブ１１は、カニューレ１０が、強膜１３０から取り除かれるようになることから防ぐのに役立つリブ１３を有していてもよい。チューブ１１は、対向する側壁１８と２０を形成する対向するスリット１６によって、長手方向に部分的に、分割されている。図２で示されるように、弛緩状態では、側壁２０は、ヒンジ２２によってチューブ１１の残りの部分にヒンジ結合されていて、側壁２０は、側壁１８に対してヒンジ２２周りで付勢されるように形成されている。側壁２０を側壁１８の中に入れるのを助けるために、側壁２０の遠位端部２４は、テーパーになっている。図３で示されるように、側壁２０は、ヒンジ２２周りを回動し、ハブ１２に配置されたチューブ１１の近位端部を介してチューブ１１の中への機器（図示せず）の挿入に応じて、側壁１８から離れる。更に、側壁１８の末端チップ１９は、トロカールまたはランセットの使用なしに、強膜１３０の中へのカニューレ１０の挿入を助けるように、削られていてもよい。
【００１３】
本発明のある実施形態が上述されているが、この記述は、図示及び説明の目的でなされている。変形、変更、修正および上述されたシステムおよび方法からの逸脱は、本発明の範囲または精神から逸脱することがなければ、採用可能である。
【図面の簡単な説明】
【００１４】
【図１】従来技術のカニューレの拡大断面図である。
【図２】閉じた状態のバルブが示されている、本発明のカニューレの拡大斜視図である。
【図３】開いた状態のバルブが示されている、本発明のカニューレの拡大斜視図である。
【符号の説明】
【００１５】
１０    カニューレ
１１    チューブ
１３    リブ
１６    スリット
１８    側壁
１９    末端チップ
２０    側壁
２２    ヒンジ
２４    遠位端部
【図１】
2008168136.tif 000003
【図２】
2008168136.tif 000004
【図３】
2008168136.tif 000005